(57)【要約】【課題】複数の給電経路夫々に流れる電流の変動を高精度に検知することができる給電制御装置及び電流検出装置を提供する。【解決手段】給電制御装置３は、バッテリ２からｎ個の負荷Ｅ１，Ｅ２，・・・，Ｅｎへのｎ個の給電経路を介した給電を各別に制御する。制御部４５はｎ個の給電経路から１つを選択する。ＩＰＤ３０は、制御部４５が選択した給電経路に流れる電流に応じた電流が、可変抵抗回路３１が設けられた電流経路に流れる。切替え部４３は、制御部４５が選択した給電経路に応じて、可変抵抗回路３１が有するスイッチのオン／オフを切替え、可変抵抗回路３１の抵抗値を変更する。制御部４５は、入力部４１に入力された電圧に基づいて、電流経路に流れる電流を検出し、検出した電流に基づいて、選択した給電経路を介した給電を停止すべきか否かを判定する。【選択図】図１
2016080396.tif 000002
【特許請求の範囲】
【請求項１】
複数の給電経路を介した給電を各別に制御する給電制御装置において、
該複数の給電経路の中から１つを選択する選択部と、
該選択部が選択した給電経路に流れる電流に応じた電流が流れる電流経路に設けられた可変抵抗回路と、
前記選択部が選択した給電経路に応じて該可変抵抗回路の抵抗値を変更する変更部と、
前記可変抵抗回路の両端間の電圧に基づいて、前記電流経路に流れる電流を検出する電流検出部と、
該電流検出部が検出した電流に基づいて、前記選択部が選択した給電経路を介した給電を停止すべきか否かを判定する判定部と
を備えることを特徴とする給電制御装置。
【請求項２】
前記電流検出部が検出した電流を用いて、前記選択部が選択した給電経路を構成する電線の温度を算出する温度算出部を備え、
前記判定部は、該温度算出部が算出した温度が閾値以上である場合に、給電を停止すべきと判定するように構成してあること
を特徴とする請求項１に記載の給電制御装置。
【請求項３】
前記可変抵抗回路は、
第１抵抗器及びスイッチが並列に接続されている一又は複数の並列回路と、
前記一又は複数の並列回路が直列に接続してある第２抵抗器と
を有し、
前記変更部は、前記可変抵抗回路が有する一又は複数の前記スイッチのオン／オフを各別に切替えることによって前記可変抵抗回路の抵抗値を変更するように構成してあること
を特徴とする請求項１又は請求項２に記載の給電制御装置。
【請求項４】
前記可変抵抗回路は、
第１抵抗器及びスイッチが直列に接続されている一又は複数の直列回路と、
該一又は複数の直列回路夫々が並列に接続してある第２抵抗器と
を有し、
前記変更部は、前記可変抵抗回路が有する一又は複数の前記スイッチのオン／オフを各別に切替えることによって前記可変抵抗回路の抵抗値を変更するように構成してあること
を特徴とする請求項１又は請求項２に記載の給電制御装置。
【請求項５】
複数の給電経路夫々に対応付けて、前記一又は複数のスイッチ夫々のオン／オフを示すオンオフ情報を記憶してある記憶部を備え、
前記変更部は、前記選択部が選択した給電経路に対応するオンオフ情報が示すオン／オフに従って、前記一又は複数のスイッチ夫々のオン／オフを切替えるように構成してあること
を特徴とする請求項３又は請求項４に記載の給電制御装置。
【請求項６】
複数の給電経路中の１つを選択し、選択した給電経路に流れる電流に応じた電流が電流経路に流れ、該電流経路に流れる電流を検出する電流検出装置であって、
該電流経路に設けられた可変抵抗回路と、
選択した給電経路に応じて該可変抵抗回路の抵抗値を変更する変更部と
を備え、
前記可変抵抗回路の両端間の電圧に基づいて、前記電流経路に流れる電流を検出するように構成してあること
を特徴とする電流検出装置。
【発明の詳細な説明】
【技術分野】
【０００１】
本発明は、給電経路を介した給電を制御する給電制御装置と、給電経路に流れる電流に応じた電流を検出する電流検出装置とに関する。
【背景技術】
【０００２】
車両には、バッテリから負荷への給電経路に例えばスイッチを設け、このスイッチをオン／オフすることによって、給電経路を介した給電を制御する給電制御装置（例えば、特許文献１を参照）が搭載されている。
【０００３】
特許文献１に記載の給電制御装置では、バッテリから負荷への給電経路に流れる電流の所定数分の１の電流が電流経路に流れ、電流経路に流れる電流を検出する。具体的には、電流経路に抵抗が設けられており、この抵抗の両端間の電圧に基づいて電流経路に流れる電流を検出する。
【０００４】
特許文献１に記載の給電制御装置は、検出した電流に基づいて、給電経路に流れる過電流、又は、給電経路の断線を検出する。
【先行技術文献】
【特許文献】
【０００５】
【特許文献１】特開２００４−４５２１３号公報
【発明の概要】
【発明が解決しようとする課題】
【０００６】
特許文献１に記載してあるような給電制御装置として、複数の給電経路を介した給電を各別に制御し、複数の給電経路の中から１つを選択し、選択した給電経路に流れる電流の所定数分の１の電流が電流経路に流れる給電制御装置がある。この給電制御装置においても、電流経路に設けられた抵抗の両端間の電圧に基づいて、電流経路に流れる電流を検出する。そして、検出した電流に基づいて、選択した給電経路を介した給電が制御される。
【０００７】
給電経路に流れる電流の平均値は、該給電経路を介して給電される負荷によって異なる。このため、複数の給電経路夫々を介して給電される全ての負荷が同様に構成されていない限り、複数の給電経路全てに、平均値が同一又は略同一の電流が流れることない。また、通常、抵抗の両端間の電圧を検出することが可能な検出範囲は決められており、更には、給電経路を流れる電流と、電流経路を流れる電流との比は一定である。
従って、複数の給電経路夫々に流れる全ての電流を検出することができるように、複数の給電経路夫々を流れる電流の中で、平均値が最も大きい電流に合わせて、抵抗値が小さい抵抗が電流経路に設けられる。これにより、複数の給電経路のいずれを選択した場合であっても、抵抗の両端間の電圧は検出範囲内に収まる。
【０００８】
しかしながら、抵抗の両端間を検出する処理では、一般的に、抵抗の両端間の電圧を量子化することによって、該電圧のＡ（Analog）／Ｄ（Digital）変換を行う。例えば、抵抗の両端間の電圧を四捨五入によって、最小単位が０．１ボルトである電圧に量子化する場合、２．１４ボルトは２．１ボルトに量子化され、２．１８ボルトは２．２ボルトに量子化される。
【０００９】
従って、抵抗値が小さい抵抗が電流経路に設けられており、かつ、複数の給電経路夫々を流れる電流の平均値の差が大きい場合において、平均値が小さい電流が流れる給電経路が選択されたとき、抵抗の両端間の電圧の変動が小さいので、電流経路に流れる電流を精度よく検出することができない。このため、選択された給電経路に流れる電流の変動を精度よく検知することができないという問題がある。例えば、抵抗の両端間の電圧を、四捨五入によって、最小単位が０．１ボルトである電圧に量子化する場合において、電流経路を流れる電流の変動が０．０５ボルト未満の変動であるとき、検出される電圧に変化はなく、このときに選択されている給電経路に流れる電流の変動を精度よく検知することはできない。
【００１０】
本発明は斯かる事情に鑑みてなされたものであり、その目的とするところは、複数の給電経路夫々に流れる電流の変動を高精度に検知することができる給電制御装置及び電流検出装置を提供することにある。
【課題を解決するための手段】
【００１１】
本発明に係る給電制御装置は、複数の給電経路を介した給電を各別に制御する給電制御装置において、該複数の給電経路の中から１つを選択する選択部と、該選択部が選択した給電経路に流れる電流に応じた電流が流れる電流経路に設けられた可変抵抗回路と、前記選択部が選択した給電経路に応じて該可変抵抗回路の抵抗値を変更する変更部と、前記可変抵抗回路の両端間の電圧に基づいて、前記電流経路に流れる電流を検出する電流検出部と、該電流検出部が検出した電流に基づいて、前記選択部が選択した給電経路を介した給電を停止すべきか否かを判定する判定部とを備えることを特徴とする。
【００１２】
本発明にあっては、複数の給電経路を介して給電を各別に制御する。複数の給電経路の中から１つを選択する。選択した給電経路を流れる電流に応じた電流、例えば、選択した給電経路を流れる電流の所定数分の１の電流が電流経路に流れる。電流経路には可変抵抗回路が設けられており、可変抵抗回路の両端間の電圧に基づいて、電流経路に流れる電流を検出する。
【００１３】
可変抵抗回路の抵抗値は、選択した給電経路に応じて変更される。例えば、平均値が大きい電流が流れる給電経路が選択された場合、可変抵抗回路の抵抗値は小さな抵抗値に変更され、平均値が小さい電流が流れる給電経路が選択された場合、可変抵抗回路の抵抗値は大きい抵抗値に変更される。検出された電流に基づいて、選択した給電経路を介した給電を停止すべきか否かを判定する。給電を停止すべきと判定した場合、選択した給電経路を介した給電を停止する。
【００１４】
可変抵抗回路の抵抗値が、選択された給電経路に応じて変更されるため、電流経路に流れる電流を常に精度よく検出することが可能となり、複数の給電経路夫々に流れる電流の変動を高精度に検知することが可能となる。
【００１５】
本発明に係る給電制御装置は、前記電流検出部が検出した電流を用いて、前記選択部が選択した給電経路を構成する電線の温度を算出する温度算出部を備え、前記判定部は、該温度算出部が算出した温度が閾値以上である場合に、給電を停止すべきと判定するように構成してあることを特徴とする。
【００１６】
本発明にあっては、検出された電流値を用いて、選択した給電経路を構成する電線の温度を算出する。算出した温度が閾値以上である場合、給電を停止すべきと判定し、選択した給電経路を介した給電を停止する。これにより、電線の発煙又は発火が未然に防止される。
【００１７】
本発明に係る給電制御装置は、前記可変抵抗回路は、第１抵抗器及びスイッチが並列に接続されている一又は複数の並列回路と、前記一又は複数の並列回路が直列に接続してある第２抵抗器とを有し、前記変更部は、前記可変抵抗回路が有する一又は複数の前記スイッチのオン／オフを各別に切替えることによって前記可変抵抗回路の抵抗値を変更するように構成してあることを特徴とする。
【００１８】
本発明にあっては、可変抵抗回路は、一又は複数の並列回路を有し、各並列回路では第１抵抗器とスイッチとが並列に接続されている。可変抵抗回路では、一又は複数の並列回路と第２抵抗器とが直列に接続されている。可変抵抗回路が有する一又は複数のスイッチのオン／オフを各別に切替えることによって、可変抵抗回路の抵抗値が容易に変更される。
【００１９】
例えば、一の並列回路と第２抵抗器とが直列に接続されている場合において、スイッチをオンに切替えたとき、可変抵抗回路の抵抗値は第１抵抗器の抵抗値となり、スイッチをオフに切替えたとき、可変抵抗回路の抵抗値は、直列に接続された第１抵抗器及び第２抵抗器の合成抵抗値となる。
【００２０】
本発明に係る給電制御装置は、前記可変抵抗回路は、第１抵抗器及びスイッチが直列に接続されている一又は複数の直列回路と、該一又は複数の直列回路夫々が並列に接続してある第２抵抗器とを有し、前記変更部は、前記可変抵抗回路が有する一又は複数の前記スイッチのオン／オフを各別に切替えることによって前記可変抵抗回路の抵抗値を変更するように構成してあることを特徴とする。
【００２１】
本発明にあっては、可変抵抗回路は、一又は複数の直列回路を有し、各直列回路では第１抵抗器とスイッチとが直列に接続されている。可変抵抗回路では、第２抵抗器に、一又は複数の直列回路夫々が並列に接続されている。可変抵抗回路が有する一又は複数のスイッチのオン／オフを各別に切替えることによって、可変抵抗回路の抵抗値が容易に変更される。
【００２２】
例えば、一の直列回路と第２抵抗器とが並列に接続されている場合において、スイッチをオンに切替えたとき、可変抵抗回路の抵抗値は、並列に接続され第１抵抗器及び第２抵抗器の合成抵抗値となり、スイッチをオフに切替えたとき、可変抵抗回路の抵抗値は、第１抵抗器の抵抗値となる。
【００２３】
本発明に係る給電制御装置は、複数の給電経路夫々に対応付けて、前記一又は複数のスイッチ夫々のオン／オフを示すオンオフ情報を記憶してある記憶部を備え、前記変更部は、前記選択部が選択した給電経路に対応するオンオフ情報が示すオン／オフに従って、前記一又は複数のスイッチ夫々のオン／オフを切替えるように構成してあることを特徴とする。
【００２４】
本発明にあっては、可変抵抗回路が有する一又は複数のスイッチ夫々のオン／オフを示すオン／オフ情報が、複数の給電経路夫々に対応付けて記憶部に記憶してある。複数の給電経路の中から１つを選択した場合、選択した給電経路に対応するオン／オフ情報が示すオン／オフに従って、一又は複数のスイッチ夫々のオン／オフを切替える。
これにより、可変抵抗回路の抵抗値が、選択した給電経路に適した抵抗値に確実に変更される。
【００２５】
本発明に係る電流検出装置は、複数の給電経路中の１つを選択し、選択した給電経路に流れる電流に応じた電流が電流経路に流れ、該電流経路に流れる電流を検出する電流検出装置であって、該電流経路に設けられた可変抵抗回路と、選択した給電経路に応じて該可変抵抗回路の抵抗値を変更する変更部とを備え、前記可変抵抗回路の両端間の電圧に基づいて、前記電流経路に流れる電流を検出するように構成してあることを特徴とする。
【００２６】
本発明にあっては、複数の給電経路中の１つを選択する。選択した給電経路に流れる電流に応じた電流、例えば、選択した給電経路に流れる電流の所定数分の１の電流が電流経路に流れる。電流経路には可変抵抗回路が設けられている。可変抵抗回路の両端間の電圧に基づいて、電流経路に流れる電流を検出する。可変抵抗回路の抵抗値が、選択した給電経路に応じて変更されるので、電流経路に流れる電流が常に精度よく検出することが可能となり、複数の給電経路夫々に流れる電流の変動を高精度に検出することが可能となる。
【発明の効果】
【００２７】
本発明によれば、選択した給電経路に応じて可変抵抗回路の抵抗値を変更するので、複数の給電経路夫々に流れる電流の変動を高精度に検知することができる。
【図面の簡単な説明】
【００２８】
【図１】実施の形態１における電源システムの要部構成を示すブロック図である。
【図２】可変抵抗回路の回路図である。
【図３】給電経路の給電状態の一例を示す図表である。
【図４】制御部が実行する電線保護処理の手順を示すフローチャートである。
【図５】給電経路夫々に対応付けて記憶されているオンオフ情報を示す図表である。
【図６】給電経路夫々に対応付けて記憶されている単位電圧当たりの電流を示す図表である。
【図７】実施の形態２における可変抵抗回路の回路図である。
【図８】給電経路夫々に対応付けて記憶されているオン／オフ情報を示す図表である。
【図９】実施の形態３における可変抵抗回路の回路図である。
【図１０】実施の形態４における電源システムの要部構成を示すブロック図である。
【発明を実施するための形態】
【００２９】
以下、本発明をその実施の形態を示す図面に基づいて詳述する。
（実施の形態１）
図１は、実施の形態１における電源システム１の要部構成を示すブロック図である。電源システム１は、好適に車両に搭載され、バッテリ２、給電制御装置３及びｎ個（ｎ：２以上の整数）の負荷Ｅ１，Ｅ２，・・・，Ｅｎを備える。バッテリ２の正極は給電制御装置３に接続され、給電制御装置３は、更に、ｎ個の電線Ｗ１，Ｗ２，・・・，Ｗｎ夫々の一端に接続されている。電線Ｗ１，Ｗ２，・・・，Ｗｎ夫々の他端は負荷Ｅ１，Ｅ２，・・・，Ｅｎ夫々の一端に接続されている。バッテリ２の負極と、負荷Ｅ１，Ｅ２，・・・，Ｅｎ夫々の他端とは接地されている。
【００３０】
バッテリ２は、給電制御装置３を介して、負荷Ｅ１，Ｅ２，・・・，Ｅｎ夫々に給電する。負荷Ｅ１，Ｅ２，・・・，Ｅｎ夫々は、ヘッドライト又はワイパー等の電気機器である。負荷Ｅ１，Ｅ２，・・・，Ｅｎ夫々は、バッテリ２から給電されている場合に作動し、バッテリ２からの給電が停止している場合に停止する。
【００３１】
バッテリ２から負荷Ｅ１，Ｅ２，・・・，Ｅｎ夫々に給電する給電経路として、ｎ個の給電経路Ｐ１，Ｐ２，・・・，Ｐｎが設けられている。バッテリ２から負荷Ｅｋ（ｋ：ｎ以下の自然数）への給電経路は給電経路Ｐｋである。給電制御装置３及び負荷Ｅｋ間における給電経路Ｐｋは電線Ｗｋによって構成される。
【００３２】
作動のために、負荷Ｅ１，Ｅ２，・・・，Ｅｎ夫々に供給されるべき電流の平均値は同一ではなく、負荷Ｅ１，Ｅ２，・・・，Ｅｎの電流供給には、平均値が異なる２種類以上の電流が用いられる。従って、ｎ個の給電経路Ｐ１，Ｐ２，・・・，Ｐｎ夫々に、平均値が同一又は略同一の電流が流れることはない。一例として、ｎが３である場合において、負荷Ｅ１，Ｅ２が作動しているときに給電経路Ｐ１，Ｐ２には平均値が１アンペアである電流が流れ、負荷Ｅ３が作動しているときに給電経路Ｐ３には平均値が２アンペアである電流が流れる。この場合、平均値が異なる２種類の電流が用いられている。負荷Ｅ１，Ｅ２，・・・，Ｅｎの電流供給に、最大で、平均値が異なるｎ種類の電流が用いられる。
【００３３】
給電制御装置３には、負荷Ｅｋ（ｋ：ｎ以下の自然数）の作動を指示する作動信号と、負荷Ｅｋの作動の停止を指示する停止信号とが入力される。給電制御装置３は、入力された作動信号又は停止信号が指示する内容に基づいて、給電経路Ｐ１，Ｐ２，・・・，Ｐｎを介した給電を各別に制御する。
【００３４】
給電制御装置３は、ＩＰＤ（Intelligent Power Device）３０、可変抵抗回路３１、温度検出部３２及びマイクロコンピュータ（以下、マイコンという）３３を備える。可変抵抗回路３１は第１端、第２端及び第３端を有する。ＩＰＤ３０は、バッテリ２の正極と、ｎ個の電線Ｗ１，Ｗ２，・・・，Ｗｎ夫々の一端とに各別に接続されている。ＩＰＤ３０は更に可変抵抗回路３１の第１端とマイコン３３とに接続されている。可変抵抗回路３１の第２端は接地されている。マイコン３３は、更に、可変抵抗回路３１の第１端及び第３端と、温度検出部３２とに接続されている。マイコン３３には作動信号及び停止信号が外部から入力される。
可変抵抗回路３１の第１端及び第２端は特許請求の範囲における両端として機能する。
【００３５】
ＩＰＤ３０には、マイコン３３から、負荷Ｅｋ（ｋ：ｎ以下の自然数）への給電を指示する給電指示と、負荷Ｅｋへの給電の停止を指示する停止指示とが入力される。ＩＰＤ３０は、入力された給電指示が負荷Ｅｋへの給電を指示する場合、バッテリ２の正極を電線Ｗｋの一端に電気的に接続する。これにより、負荷Ｅｋは、バッテリ２から給電経路Ｐｋを介して給電される。ＩＰＤ３０は、入力された停止指示が負荷Ｅｋへの給電の停止を指示する場合、バッテリ２の正極と電線Ｗｋの一端との接続を電気的に遮断する。これにより、バッテリ２から負荷Ｅｋへの給電が停止される。
【００３６】
給電制御装置３では、ＩＰＤ３０から可変抵抗回路３１の第１端に流れ込み、可変抵抗回路３１の第２端から流れ出る電流の電流経路が設けられている。ＩＰＤ３０はｎ個の給電経路Ｐ１，Ｐ２，・・・，Ｐｎ中の１つに流れる電流の所定数分の１を電流経路に流している。ＩＰＤ３０には、マイコン３３から、更に、電流経路に流れている電流に対応する電流が流れている給電経路を給電経路Ｐｋに切替えることを指示する切替え指示が入力される。ＩＰＤ３０は、給電経路Ｐｋへの切替え指示が入力された場合、給電経路Ｐｋに流れる電流の所定数分の１の電流を電流経路に流す。所定数は、１以上の実数であり、給電経路に無関係に一定である。
【００３７】
ＩＰＤ３０は、給電経路Ｐｋ（ｋ：ｎ以下の自然数）に流れる電流が所定電流以上となった場合、マイコン３３から入力される負荷Ｅｋについての給電指示及び停止指示に無関係に、バッテリ２と電線Ｗｋの一端との接続を電気的に遮断し、給電経路Ｐｋを介した給電を停止する。このように、マイコン３３から入力される負荷Ｅｋについての給電指示及び停止指示に無関係に給電経路Ｐｋを介した給電を停止することを自己遮断という。
【００３８】
ＩＰＤ３０は、給電経路Ｐｋについて自己遮断を行った場合、自己遮断によって給電が停止された給電経路を示す給電停止情報をマイコン３３に出力する。ＩＰＤ３０は、給電経路Ｐｋについて自己遮断を行った後、一旦、負荷Ｅｋの給電の停止を指示する停止指示が入力されて、再び、負荷Ｅｋの給電を指示する給電指示が入力された場合、バッテリ２の正極と電線Ｗｋの一端とを電気的に接続し、給電経路Ｐｋを介した給電を再開する。
【００３９】
可変抵抗回路３１は、前述した内容からわかるように、給電経路Ｐｋを流れる電流に応じた電流、具体的には、給電経路Ｐｋを流れる電流の所定数分の１の電流が流れる電流経路に設けられている。可変抵抗回路３１における第１端及び第２端間の抵抗値はマイコン３３によって変更される。
【００４０】
図２は可変抵抗回路３１の回路図である。可変抵抗回路３１は、抵抗Ｒ１１，Ｒ２１，Ｒ３１，Ｒｔ及びスイッチＴ１を有する。スイッチＴ１はＮＰＮ型のバイポーラトランジスタである。抵抗Ｒｔの一端は、可変抵抗回路３１の第１端であり、ＩＰＤ３０と、マイコン３３が有する後述の入力部４１とに接続されている。抵抗Ｒｔの他端は、抵抗Ｒ１１の一端と、スイッチＴ１のコレクタとに接続されている。
【００４１】
抵抗Ｒ１１及びスイッチＴ１は、並列に接続され、並列回路を構成する。具体的には、抵抗Ｒ１１の一端はスイッチＴ１のコレクタに接続され、抵抗Ｒ１１の他端はスイッチＴ１のエミッタに接続されている。抵抗Ｒ１１の一端と、スイッチＴ１のコレクタとは抵抗Ｒｔの他端に接続されているため、抵抗Ｒｔと、抵抗Ｒ１１及びスイッチＴ１が並列に接続されている並列回路とは、直列に接続されている。
抵抗Ｒ１１は第１抵抗器として機能し、抵抗Ｒｔは第２抵抗器として機能する。
【００４２】
なお、抵抗Ｒ１１は、スイッチＴ１に実質的に並列に接続されていればよい。従って、スイッチＴ１のコレクタに、抵抗Ｒ１１と、素子、例えばコイルとによって構成される直列回路の一端が接続され、この直列回路の他端がスイッチＴ１のエミッタに接続されている回路も前述した並列回路に相当する。更に、スイッチＴ１と、抵抗又はコイル等の素子とによって構成される直列回路の一端が抵抗Ｒ１１の一端に接続され、抵抗Ｒ１１の他端にこの直列回路の他端が接続された回路も前述した並列回路に相当する。
【００４３】
抵抗Ｒ１１の他端と、スイッチＴ１のエミッタとは、可変抵抗回路３１の第２端であり、接地されている。スイッチＴ１のベースは、抵抗Ｒ２１，Ｒ３１夫々の一端に接続されている。抵抗Ｒ２１の他端は、可変抵抗回路３１の第３端であり、マイコン３３が有する後述の切替え部４３に接続されている。抵抗Ｒ３１の他端は接地されている。
【００４４】
スイッチＴ１について、エミッタの電位を基準としてベースに印加されている電圧が一定電圧以上である場合、コレクタ及びエミッタ間に電流が流れることが可能であり、スイッチＴ１はオンである。また、エミッタの電位を基準としてベースに印加されている電圧が一定電圧未満である場合、コレクタからエミッタに電流が流れることはなく、スイッチＴ１はオフである。
【００４５】
マイコン３３の切替え部４３は、ハイレベル又はローレベルの電圧を抵抗Ｒ２１の他端に出力する。切替え部４３がハイレベルの電圧、又は、ゼロボルトを超えるローレベルの電圧を抵抗Ｒ２１の他端に出力した場合、電流が切替え部４３から抵抗Ｒ２１，Ｒ３１の順に流れる。切替え部４３が抵抗Ｒ２１の他端に出力したローレベルの電圧がゼロボルトである場合、抵抗Ｒ２１，Ｒ３１に電流が流れることはない。切替え部４３が抵抗Ｒ２１の他端にハイレベルの電圧を出力した場合、抵抗Ｒ３１において大きく電圧が降下する。この電圧降下により、スイッチＴ１のベース及びエミッタ間の電圧が一定電圧以上となり、スイッチＴ１はオンに切替わる。
【００４６】
また、切替え部４３が抵抗Ｒ２１の他端にローレベルの電圧を出力した場合、抵抗Ｒ３１において生じる電圧降下の幅は小さいか又はゼロであり、スイッチＴ１のベース及びエミッタ間の電圧は一定電圧未満となる。これにより、スイッチＴ１はオフに切替わる。切替え部４３が抵抗Ｒ２１の他端にハイレベルの電圧を出力した場合におけるスイッチＴ１のオン抵抗の抵抗値は、抵抗Ｒｔの抵抗値と比較して無視することができる程度に小さく、ゼロ又は略ゼロである。
【００４７】
マイコン３３の切替え部４３がハイレベルの電圧を出力してスイッチＴ１をオンに切替えた場合、可変抵抗回路３１の第１端及び第２端間の抵抗値は抵抗Ｒｔの抵抗値と同じ又は略同じである。マイコン３３の切替え部４３がローレベルの電圧を出力してスイッチＴ１をオフに切替えた場合、可変抵抗回路３１の第１端及び第２端間の抵抗値は、直列に接続された抵抗Ｒｔ，Ｒ１１の合成抵抗値である。このように、切替え部４３は、スイッチＴ１のオン／オフを切替えることによって、可変抵抗回路３１の第１端及び第２端間の抵抗値を容易に変更することができる。可変抵抗回路３１の第１端及び第２端間の電圧はマイコン３３の入力部４１に入力される。
【００４８】
温度検出部３２は、ｎ個の電線Ｗ１，Ｗ２，・・・，Ｗｎの周囲温度を検出し、検出した周囲温度を示す温度情報をマイコン３３に出力する。
【００４９】
マイコン３３は、外部から入力される作動信号及び停止信号と、温度検出部３２から入力される温度情報と、入力部４１に入力される電圧とに基づいて、ＩＰＤ３０に、負荷Ｅｋ（ｋ：ｎ以下の自然数）についての給電指示又は停止指示を出力する。更に、マイコン３３は、前述したように、可変抵抗回路３１の第１端及び第２端間の抵抗値を変更する。
【００５０】
マイコン３３は、入出力部４０、入力部４１、Ａ（Analog）／Ｄ（Digital）変換部４２、切替え部４３、記憶部４４及び制御部４５を有する。入出力部４０、Ａ／Ｄ変換部４２、切替え部４３、記憶部４４及び制御部４５夫々はバス４６に接続されている。Ａ／Ｄ変換部４２は、バス４６の他に入力部４１に接続されている。入出力部４０は、バス４６の他にＩＰＤ３０及び温度検出部３２に各別に接続されている。前述したように、入力部４１は可変抵抗回路３１の第１端にも接続されており、切替え部４３は可変抵抗回路３１の第３端にも接続されている。
【００５１】
入出力部４０には、負荷Ｅｋ（ｋ：ｎ以下の自然数）についての作動信号及び停止信号が入力される。入出力部４０は、作動信号が入力された場合、入力された作動信号が示す内容を制御部４５に通知し、停止信号が入力された場合、入力された停止信号が示す内容を制御部４５に通知する。
【００５２】
また、制御部４５の指示に従って、給電経路Ｐｋについての給電指示及び停止指示をＩＰＤ３０に出力する。入出力部４０には、ＩＰＤ３０から給電停止情報が入力される。入出力部４０は、給電停止情報が入力された場合、入力された給電停止情報が示す内容を制御部４５に通知する。
更に、入出力部４０には温度検出部３２から温度情報が入力される。入出力部４０は、温度情報が入力された場合、入力された温度情報が示す周囲温度を制御部４５に通知する。
【００５３】
入力部４１には、前述したように、可変抵抗回路３１の第１端及び第２端間の電圧が入力される。入力部４１は、入力された電圧のアナログ値をＡ／Ｄ変換部４２に出力する。入力部４１に入力することが可能な電圧の範囲は固定されている。
Ａ／Ｄ変換部４２は、入力部４１が出力した電圧のアナログ値を量子化し、量子化したアナログ値をデジタル値に変換し、該デジタル値を制御部４５に通知する。
【００５４】
切替え部４３は、制御部４５の指示に従って、可変抵抗回路３１が有するスイッチＴ１のオン／オフを切替える。
記憶部４４は、不揮発性のメモリーであり、種々のデータを記憶している。記憶部４４からのデータの読み出し、及び、記憶部４４へのデータの書き込みは制御部４５によって行われる。
【００５５】
制御部４５は、ＣＰＵ（Central Processing Unit）又はＭＰＵ（Micro Processing Unit）等の演算処理装置を用いて構成される。記憶部４４には制御プログラムが記憶してある。制御部４５は、制御プログラムを記憶部４４から読み出し、読み出した制御プログラムを実行することにより、種々の処理を実行する。
【００５６】
制御部４５は、入出力部４０に負荷Ｅｋ（ｋ：ｎ以下の自然数）の作動を指示する作動信号が入力された場合、入出力部４０に指示して、負荷Ｅｋへの給電を指示する給電指示をＩＰＤ３０へ出力させる。これにより、給電経路Ｐｋを介して、負荷Ｅｋはバッテリ２から給電される。制御部４５は、入出力部４０に負荷Ｅｋの作動の停止を指示する停止信号が入力された場合、入出力部４０に指示して、負荷Ｅｋへの給電の停止を指示する停止指示をＩＰＤ３０へ出力させる。これにより、給電経路Ｐｋを介した負荷Ｅｋへの給電が停止される。
【００５７】
図３は給電経路Ｐ１，Ｐ２，・・・，Ｐｎの給電状態の一例を示す図表である。記憶部４４には、図３に示すように、ｎ個の給電経路Ｐ１，Ｐ２，・・・，Ｐｎ夫々に対応付けて、給電が行われているか、又は、給電が停止されているかを示す給電状態を記憶している。図３では、給電経路Ｐ１を介した給電が行われており、給電経路Ｐ２，Ｐｎ夫々を介した給電が停止されていることを示している。「給電」は給電が行われていることを示し、「停止」は給電が停止されていることを示す。
【００５８】
制御部４５は、入出力部４０に指示して、給電指示又は停止指示をＩＰＤ３０に出力させると共に、記憶部４４に記憶してある給電状態を書き換える。制御部４５は、入出力部４０に負荷Ｅｋの給電を指示する給電指示を出力させた場合、給電経路Ｐｋの給電状態を「給電」に書き換え、入出力部４０に負荷Ｅｋの作動を停止する停止指示を出力させた場合、給電経路Ｐｋの給電状態を「停止」に書き換える。
【００５９】
更に、制御部４５は、入出力部４０がＩＰＤ３０から給電停止情報が入力された場合、入力された給電停止情報が示す給電経路に対応する給電状態を停止に書き換える。例えば、入出力部４０に入力された給電停止情報が給電経路Ｐｋ（ｋ：ｎ以下の自然数）を示す場合、制御部４５は、給電経路Ｐｋの給電状態を「停止」に書き換える。
【００６０】
制御部４５は、前述した処理を行いつつ、ｎ個の電線Ｗ１，Ｗ２，・・・，Ｗｎを発煙又は発火から保護する電線保護処理を所定周期ごとに実行する。
【００６１】
図４は制御部４５が実行する電線保護処理の手順を示すフローチャートである。制御部４５は、ｎ個の給電経路Ｐ１，Ｐ２，・・・，Ｐｎの中から給電経路を選択する（ステップＳ１）。具体的には、制御部４５は給電経路を給電経路Ｐ１，Ｐ２，・・・，Ｐｎの順に選択する。従って、給電経路Ｐ１が選択された電線保護処理の次に行われる電線保護処理では給電経路Ｐ２が選択され、その次に行われる電線保護処理では給電経路Ｐ３が選択される。給電経路Ｐｎが選択された電線保護処理の次に行われる電線保護処理では、給電経路Ｐ１が再び選択される。
制御部４５は選択部として機能する。
【００６２】
次に制御部４５は、ステップＳ１で選択した給電経路を介して給電が行われているか否かを判定する（ステップＳ２）。具体的には、制御部４５は、記憶部４４に記憶してある給電経路Ｐ１，Ｐ２，・・・，Ｐｎの給電状態を参照する。ステップＳ２において、制御部４５は、ステップＳ１で選択した給電経路の給電状態が「給電」である場合、給電が行われていると判定し、ステップＳ１で選択した給電経路の給電状態が「停止」である場合、給電が行われていないと判定する。
【００６３】
制御部４５は、給電が行われていると判定した場合（Ｓ２：ＹＥＳ）、切替え部４３に指示して、可変抵抗回路３１が有するスイッチＴ１のオン／オフを切替えさせることによって、可変抵抗回路３１の第１端及び第２端間の抵抗値を変更させる（ステップＳ３）。
【００６４】
記憶部４４には、可変抵抗回路３１が有するスイッチＴ１のオン／オフを示すオンオフ情報が、給電経路Ｐ１，Ｐ２，・・・，Ｐｎ夫々に対応付けて記憶されている。記憶部４４が記憶しているオンオフ情報が示す内容は、給電経路Ｐｋ（ｋ：ｎ以下の自然数）が選択された場合に設定されるべきスイッチＴ１のオンオフ状態である。
【００６５】
図５は給電経路Ｐ１，Ｐ２，・・・，Ｐｎ夫々に対応付けて記憶されているオンオフ情報を示す図表である。記憶部４４には図５に示す対応関係が記憶されている。図５では、給電経路Ｐ１には、スイッチＴ１がオンであることを示すオンオフ情報が対応付けられており、給電経路Ｐ２には、スイッチＴ１がオフであることを示すオンオフ情報が対応付けられており、給電経路Ｐｎには、スイッチＴ１がオンであることを示すオンオフ情報が対応付けられている。
【００６６】
ステップＳ３では、制御部４５は、ステップＳ１で選択した給電経路に対応するオンオフ情報を記憶部４４から読み出し、読み出したオンオフ情報が示すオン／オフに従って、切替え部４３にスイッチＴ１のオン／オフを切替えさせる。例えば、制御部４５は、ステップＳ１で給電経路Ｐ１を選択している場合、切替え部４３にスイッチＴ１をオンに切替えさせる。
これにより、可変抵抗回路３１の第１端及び第２端間の抵抗値を、ステップＳ１で制御部４５が選択した給電経路に適した抵抗値に確実に変更することができる。
【００６７】
また、ステップＳ３では、平均値が大きい電流が流れる給電経路がステップＳ１で選択された場合には、可変抵抗回路３１の第１端及び第２端間の抵抗値は小さな抵抗値に変更される。平均値が小さい電流が流れる給電経路がステップＳ１で選択された場合には、可変抵抗回路３１の第１端及び第２端の抵抗値は大きな抵抗値に変更される。
【００６８】
例えば、平均値が大きい電流が流れる給電経路が選択された場合、スイッチＴ１がオンにされ、可変抵抗回路３１の第１端及び第２端間の抵抗値が抵抗Ｒｔの抵抗値に変更される。また、平均値が小さい電流が流れる給電経路Ｐ２が選択された場合、スイッチＴ１がオフにされ、可変抵抗回路３１の第１端及び第２端間の抵抗値が、直列に接続された抵抗Ｒｔ，Ｒ１１の合成抵抗値に変更される。この合成抵抗値は抵抗Ｒｔの抵抗値よりも大きい。
【００６９】
以上のように、切替え部４３は、制御部４５がステップＳ１で選択した給電経路に応じて、可変抵抗回路３１の第１端及び第２端間の抵抗値を変更する。切替え部４３は変更部として機能する。
【００７０】
制御部４５は、ステップＳ３を実行した後、入出力部４０に切替え指示をＩＰＤ３０に出力することによって、電流経路に流れる電流に対応する電流の給電経路をステップＳ１で選択した給電経路に切替える（ステップＳ４）。これにより、ステップＳ１で制御部４５が選択した給電経路に流れる電流に応じた電流、具体的には、ステップＳ１で制御部４５が選択した給電経路を流れる電流の所定数分の１の電流が電流経路に流れる。
【００７１】
次に、制御部４５は、入力部４１に入力された電圧、即ち、可変抵抗回路３１の第１端及び第２端間の電圧に基づいて、電流経路に流れる電流に流れる電流を検出する（ステップＳ５）。前述したように、入力部４１に入力された電圧のアナログ値はＡ／Ｄ変換部４２によってデジタル値に変換される。
【００７２】
図６は、給電経路Ｐ１，Ｐ２，・・・，Ｐｎ夫々に対応付けて記憶されている単位電圧当たりの電流を示す図表である。前述したように、制御部４５がステップＳ１で選択する給電経路に応じて、可変抵抗回路３１の第１端及び第２端間の抵抗値は変更される。このため、入力部４１に入力された電圧が１ボルトである場合において、ステップＳ１で選択される給電経路に応じて、電流経路に流れている電流は異なっている可能性がある。図６には、給電経路Ｐ１，Ｐ２，・・・，Ｐｎ夫々に対応付けて単位電圧当たりの電流Ｉ１，Ｉ２，・・・，Ｉｎが示されており、記憶部４４には図６に示す対応関係が記憶されている。電流Ｉｋ（ｋ：ｎ以下の自然数）は、給電経路Ｐｋが選択された場合において、入力部４１に入力された電圧が１ボルトであるときに電流経路に流れている電流を示す。
【００７３】
Ａ／Ｄ変換部４２が制御部４５に通知する電圧のデジタル値をＶａｄとする。ステップＳ１で制御部４５が選択した給電経路が給電経路Ｐｋ（ｋ：ｎ以下の自然数）である場合、ステップＳ５において、制御部４５は、給電経路Ｐｋに対応する単位電圧当たりの電流Ｉｋを記憶部４４から読み出す。そして、制御部４５は、Ａ／Ｄ変換部４２が制御部４５に通知した電圧Ｖａｄと、読み出した電流Ｉｋとの積を算出することにより、電流経路に流れる電流を検出する。制御部４５は電流検出部としても機能する。
【００７４】
なお、前述したように、電流経路を流れる電流は給電経路Ｐｋに流れる電流の所定数分の１である。このため、電圧Ｖａｄ、電流Ｉｋ及び所定数の積を算出することにより、可変抵抗回路３１の第１端及び第２端間の電圧に基づいて、電線Ｗｋに流れる電流を検出することが可能である。
【００７５】
また、給電経路Ｐ１，Ｐ２，・・・，Ｐｎ夫々が選択された場合における可変抵抗回路３１の第１端及び第２端間の抵抗値をｒ１，ｒ２，・・・，ｒｎとした場合、電流Ｉｋ（ｋ：ｎ以下の自然数）は、抵抗値ｒｋの逆数に相当する。従って、ステップＳ５は電圧Ｖａｄを抵抗値ｒｋで割ることにより、電流経路に流れる電流を検出する処理に相当する。
【００７６】
制御部４５は、給電が行われていないと判定した場合（Ｓ２：ＮＯ）、又は、ステップＳ５を実行した後、ステップＳ１で選択した給電経路を構成する電線について、周囲温度と該電線の温度との温度差を算出する（ステップＳ６）。具体的には、記憶部４４には、更に、ｎ個の電線Ｗ１，Ｗ２，・・・，Ｗｎ夫々に対応付けて、ｎ個の温度差ΔＴ１，ΔＴ２，・・・，ΔＴｎを記憶している。温度差ΔＴ１，ΔＴ２，・・・，ΔＴｎ夫々は、前回、ステップＳ６で算出された電線Ｗ１，Ｗ２，・・・，Ｗｎの温度差である。
【００７７】
制御部４５は、ステップＳ１で給電経路Ｐｋを選択し、かつ、ステップＳ２で給電が行われていると判定した場合、ステップＳ６では、ステップＳ５で検出した電流と、記憶部４４に記憶してある温度差ΔＴｋとを用いて、周囲温度と電線Ｗｋの温度との温度差を算出する。制御部４５は、ステップＳ１で給電経路Ｐｋを選択し、かつ、ステップＳ２で給電が行われていないと判定した場合、ステップＳ６では、電線Ｗｋに流れている電流はゼロであるとして、記憶部４４に記憶してある温度差ΔＴｋを用いて、周囲温度と電線Ｗｋの温度との温度差を算出する。
【００７８】
前述したように、電線保護処理は所定周期ごとに実行され、ステップＳ１では給電経路が給電経路Ｐ１，Ｐ２，・・・，Ｐｎの順に選択される。このため、給電経路Ｐｋについて電線処理が行われる時間間隔は一定である。ステップＳ６では、電線Ｗｋに流れる電流から該時間間隔の間に電線Ｗｋで発生する発熱と、前記時間間隔の間に電線Ｗｋで発生する放熱とが考慮される。ステップＳ１で給電経路Ｐｋが選択された場合において、前記時間間隔中の発熱量及び放熱量に関して、発熱量が放熱量よりも多いと推定されたとき、ステップＳ６で算出される温度差は温度差ΔＴｋよりも上昇する。ステップＳ１で給電経路Ｐｋが選択された場合において、発熱量が放熱量よりも少ないと推定されたとき、ステップＳ６で算出される温度差は温度差ΔＴｋよりも低下する。
【００７９】
次に、制御部４５は、記憶部４４に記憶してある温度差の値をステップＳ６で算出した温度差に書き換える（ステップＳ７）。ステップＳ１で給電経路Ｐｋが選択されている場合、制御部４５は、ステップＳ７において、温度差ΔＴｋの値をステップＳ６で算出した温度差に書き換える。
【００８０】
次に、制御部４５は、温度検出部３２から入出力部４０に入力された温度情報が示す周囲温度に、ステップＳ６で算出した温度差を加算することによって、電線の温度を算出する（ステップＳ８）。
なお、制御部４５は、ステップＳ２で給電が行われていると判定した場合、ステップＳ５で検出した電流を用いて温度差を算出して電線の温度を算出する。このため、制御部４５は温度算出部としても機能する。
【００８１】
次に、制御部４５は、ステップＳ１で選択した給電経路を介した給電を停止すべきか否かを判定する（ステップＳ９）。ステップＳ９では、制御部４５は、ステップＳ８で算出した電線の温度が、記憶部４４に予め記憶してある閾値以上である場合に給電を停止すべきと判定し、ステップＳ８で算出した電線の温度が閾値未満である場合に給電を停止すべきではないと判定する。
【００８２】
なお、制御部４５は、ステップＳ２で給電が行われていると判定した場合、ステップＳ５で検出した電流を用いて電線の温度を算出してステップＳ９を実行する。そして、制御部４５は、算出した電線の温度が閾値以上である場合、ステップＳ１で選択した給電経路を介した給電を停止すべきと判定する。このため、制御部４５は判定部としても機能する。
【００８３】
制御部４５は、給電を停止すべきであると判定した場合（Ｓ９：ＹＥＳ）、ステップＳ１で選択した給電経路を介した給電を停止する（ステップＳ１０）。具体的には、制御部４５は、入出力部４０に指示して、ステップＳ１で選択した給電経路を介して給電される負荷への給電を停止する停止指示をＩＰＤ３０に出力させることによって、ステップＳ１で選択した給電経路を介した給電を停止する。従って、ステップＳ１で給電経路Ｐｋ（ｋ：ｎ以下の自然数）が選択されている場合、電線Ｗｋの発煙又は発火が未然に防止される。
【００８４】
次に、制御部４５は、ステップＳ１で選択した給電経路の給電状態を「停止」に書き換える（ステップＳ１１）。
制御部４５は、給電を停止すべきではないと判定した場合（Ｓ９：ＮＯ）、又は、ステップＳ１１を実行した後、電線保護処理を終了する。その後、制御部４５は再び電線保護処理を最初から実行する。
【００８５】
前述したように、制御部４５はｎ個（ｎ：２以上の整数）の給電経路Ｐ１，Ｐ２，・・・，Ｐｎ中の１つを選択する。そして、選択した給電経路が給電を行っている場合には、ＩＰＤ３０は、制御部４５が選択した給電経路に流れる電流の所定数分の１の電流を電流経路に流す。電流経路に可変抵抗回路３１が設けられており、切替え部４３は、制御部４５が選択した給電経路に応じて可変抵抗回路３１の抵抗値を変更する。更に、制御部４５は、選択した給電経路が給電を行っている場合、可変抵抗回路３１の第１端及び第２端間の電圧に基づいて、電流経路に流れる電流を検出する。このため、給電制御装置３は電流検出装置としても機能する。
【００８６】
以上のように構成された給電制御装置は、制御部４５が、平均値が大きい電流が流れる給電経路を選択した場合には、可変抵抗回路３１の第１端及び第２端間の抵抗値が小さい抵抗値に変更される。更に、制御部４５が、平均値が小さい電流が流れる給電経路を選択した場合には、可変抵抗回路３１の第１端及び第２端間の抵抗値が大きい抵抗値に変更される。このため、電流経路に流れる電流を常に精度よく検出することができ、ｎ個の給電経路Ｐ１，Ｐ２，・・・，Ｐｎ夫々に流れる電流の変動を高精度に検知することができる。
【００８７】
（実施の形態２）
実施の形態１における可変抵抗回路３１は、抵抗及びスイッチが並列に接続された１つの並列回路を抵抗Ｒｔに直列に接続することによって実現されている。しかしながら、抵抗Ｒｔに直列に接続される並列回路の数は１つに限定されず、２つ以上であってもよい。
以下では、実施の形態２について、実施の形態１と異なる構成を説明する。後述する構成を除く実施の形態２の他の構成については、実施の形態１と同様であるため、同様の符号を付して、その詳細な説明を省略する。
【００８８】
図７は実施の形態２における可変抵抗回路３１の回路図である。実施の形態２における可変抵抗回路３１は、抵抗Ｒｔと、ｍ個（ｍ：２以上の整数）の抵抗Ｒ１１，Ｒ１２，・・・，Ｒ１ｍと、ｍ個の抵抗Ｒ２１，Ｒ２２，・・・，Ｒ２ｍと、ｍ個の抵抗Ｒ３１，Ｒ３２，・・・，Ｒ３ｍと、ｍ個のスイッチＴ１，Ｔ２，・・・，Ｔｍとを有する。実施の形態２における可変抵抗回路３１は実施の形態１と同様に第１端及び第２端を有する。スイッチＴ１，Ｔ２，・・・，Ｔｍ夫々はＮＰＮ型のバイポーラトランジスタである。
【００８９】
抵抗Ｒ１ｓ（ｓ：ｍ以下の自然数）及びスイッチＴｓは、並列に接続され、並列回路を構成する。具体的には、抵抗Ｒ１ｓの一端はスイッチＴｓのコレクタに接続され、抵抗Ｒ１ｓの他端はスイッチＴｓのエミッタに接続されている。このように構成されたｍ個の並列回路は、図７に示すように、直列に接続されている。抵抗Ｒ１１及びスイッチＴ１の並列回路は、抵抗Ｒ１２及びスイッチＴ２の並列回路に直列に接続され、抵抗Ｒ１２及びスイッチＴ２の並列回路は、抵抗Ｒ１３及びスイッチＴ３の並列回路に直列に接続されている。このように、前述したｍ個の並列回路が順次、直列に接続されている。
【００９０】
なお、抵抗Ｒ１ｓは、スイッチＴｓに実質的に並列に接続されていればよい。従って、スイッチＴｓのコレクタに、抵抗Ｒ１ｓと、素子、例えばコイルとによって構成される直列回路の一端が接続され、この直列回路の他端がスイッチＴｓのエミッタに接続されている回路も、抵抗Ｒ１ｓ及びスイッチＴｓによって構成される並列回路に相当する。更に、スイッチＴｓと、抵抗又はコイル等の素子とによって構成される直列回路の一端が抵抗Ｒ１１の一端に接続され、抵抗Ｒ１１の他端にこの直列回路の他端が接続された回路も、抵抗Ｒ１ｓ及びスイッチＴｓによって構成される並列回路に相当する。
【００９１】
抵抗Ｒｔの一端は、実施の形態１と同様に可変抵抗回路３１の第１端であり、ＩＰＤ３０及び入力部４１に接続されている。抵抗Ｒｔの他端は、抵抗Ｒ１１の一端とスイッチＴ１のコレクタとに接続されており、抵抗Ｒｔには、前述したｍ個の並列回路が直列に接続されている。抵抗Ｒ１ｍの他端とスイッチＴｍのエミッタとは、可変抵抗回路３１の第２端であり、接地されている。実施の形態２では、抵抗Ｒ１１の他に、抵抗Ｒ１２，Ｒ１３，・・・，Ｒ１ｍ夫々も第１抵抗器として機能する。
【００９２】
スイッチＴｓ（ｓ：ｍ以下の自然数）のベースは抵抗Ｒ２ｓ，Ｒ３ｓ夫々の一端に接続されている。抵抗Ｒ３ｓの他端は接地されている。ｍ個の抵抗Ｒ２１，Ｒ２２，・・・，Ｒ２ｍ夫々の他端は、実施の形態２における切替え部４３に各別に接続されている。
【００９３】
実施の形態２におけるｍ個のスイッチＴ１，Ｔ２，・・・，Ｔｍ夫々は、実施の形態１におけるスイッチＴ１と同様に作用する。即ち、切替え部４３がハイレベルの電圧を抵抗Ｒ２ｓ（ｓ：ｍ以下の自然数）の他端に出力した場合、抵抗Ｒ３ｓでの電圧降下の幅が大きいため、スイッチＴｓはオンに切替わる。そして、切替え部４３がローレベルの電圧を抵抗Ｒ２ｓの他端に出力した場合、抵抗Ｒ３ｓでの電圧降下の幅が小さいか又はゼロであるため、スイッチＴｓはオフに切替わる。また、切替え部４３がハイレベルの電圧を抵抗Ｒ２ｓの他端に出力した場合におけるスイッチＴｓのオン抵抗の抵抗値は、抵抗Ｒｔの抵抗値と比較して無視することができる程度に小さく、ゼロ又は略ゼロである。
【００９４】
実施の形態２における切替え部４３は、ｍ個のスイッチＴ１，Ｔ２，・・・，Ｔｍ夫々のオン／オフを各別に切替えることによって、可変抵抗回路３１の第１端及び第２端間の抵抗値を容易に変更することができる。可変抵抗回路３１の第１端及び第２端間の抵抗値は、スイッチＴ１，Ｔ２，・・・，Ｔｍの中でオフであるスイッチと並列に接続されている抵抗が抵抗Ｒｔに直列に接続された回路の抵抗値である。
【００９５】
例えば、スイッチＴ１，Ｔ２，・・・，Ｔｍ夫々がオフである場合、可変抵抗回路３１の第１端及び第２端間の抵抗値は、抵抗Ｒｔの抵抗値に抵抗Ｒ１，Ｒ２，・・・，Ｒｍ夫々の抵抗値を加算した値である。また、スイッチＴ１，Ｔ２，・・・，Ｔｍ夫々がオンである場合、可変抵抗回路３１の第１端及び第２端間の抵抗値は抵抗Ｒｔの抵抗値である。
【００９６】
実施の形態２における制御部４５は、実施の形態１と同様に電線保護処理を所定周期ごとに実行する。実施の形態２における電線保護処理において、ステップＳ３が実施の形態１における電線保護処理と異なる。ステップＳ３を除く他のステップは実施の形態２と同様である。実施の形態２における記憶部４４には、給電経路Ｐ１，Ｐ２，・・・，Ｐｎ夫々に対応付けて、可変抵抗回路３１が有するスイッチＴ１，Ｔ２，・・・，Ｔｍ夫々のオン／オフを示すオンオフ情報が記憶されている。記憶部４４が記憶しているオンオフ情報が示す内容は、実施の形態１と同様に、給電経路Ｐｋが選択された場合に設定されるべきスイッチＴ１，Ｔ２，・・・，Ｔｍ夫々のオンオフ状態である。
【００９７】
図８は、給電経路Ｐ１，Ｐ２，・・・，Ｐｎ夫々に対応付けて記憶されているオン／オフ情報を示す図表である。記憶部４４には図８に示す対応関係が記憶されている。図８では、給電経路Ｐ１には、スイッチＴ１，Ｔ２，・・・，Ｔｍ夫々がオン，オン，・・・，オンであることを示すオンオフ情報が対応付けられている。給電経路Ｐ２には、スイッチＴ１，Ｔ２，・・・，Ｔｍ夫々がオフ，オン，・・・，オンであることを示すオンオフ情報が対応付けられている。給電経路Ｐｎには、スイッチＴ１，Ｔ２，・・・，Ｔｍ夫々がオフ，オフ，・・・，オフであることを示すオンオフ情報が対応付けられている。
【００９８】
実施の形態２における制御部４５は、ステップＳ３において、ステップＳ１で選択した給電経路に対応するオンオフ情報を記憶部４４から読み出す。そして、制御部４５は、読み出したオンオフ情報が示すオン／オフに従って、切替え部４３にスイッチＴ１，Ｔ２，・・・，Ｔｍ夫々のオン／オフを切替えさせる。これにより、制御部４５は、切替え部４３に、可変抵抗回路３１の第１端及び第２端間の抵抗値を変更させる。
【００９９】
可変抵抗回路３１は、前述したように、ｍ個のスイッチＴ１，Ｔ２，・・・，Ｔｍを有するため、切替え部４３が変更可能な可変抵抗回路３１の抵抗値の数は、最大で２のｍ乗個である。ステップＳ３では、実施の形態１と同様に、平均値が大きい電流が流れる給電経路がステップＳ１で選択された場合、可変抵抗回路３１の第１端及び第２端間の抵抗値は小さな抵抗値に変更される。また、平均値が小さい電流が流れる給電経路がステップＳ１で選択された場合、可変抵抗回路３１の第１端及び第２端の抵抗値は大きな抵抗値に変更される。
【０１００】
実施の形態２における給電制御装置３において、可変抵抗回路３１がスイッチ及び抵抗が並列に接続された複数の並列回路を有する構成を除く他の構成は実施の形態１の構成と同様である。このため、実施の形態２における給電制御装置３は、実施の形態１と同様に電流検出装置としても機能し、実施の形態１と同様の効果を奏する。
【０１０１】
なお、実施の形態２ではｍを２以上の整数としている。実施の形態２における可変抵抗回路３１においてｍを１とした場合、実施の形態２における可変抵抗回路３１の構成は、実施の形態１における可変抵抗回路３１の構成と同様である。
【０１０２】
（実施の形態３）
実施の形態２における可変抵抗回路３１では、抵抗及びスイッチが並列に接続されたｍ個の並列回路が抵抗Ｒｔに直列に接続されている。しかしながら、可変抵抗回路３１では、抵抗及びスイッチが直列に接続されたｍ個の直列回路が抵抗Ｒｔに並列に接続されてもよい。
【０１０３】
以下では、実施の形態３について、実施の形態２と異なる構成を説明する。後述する構成を除く実施の形態３の他の構成については、実施の形態２と同様であるため、同様の符号を付して、その詳細な説明を省略する。なお、実施の形態３では、ｍは自然数である。
【０１０４】
図９は実施の形態３における可変抵抗回路３１の回路図である。実施の形態３における可変抵抗回路３１は、実施の形態２と同様に、抵抗Ｒｔと、ｍ個の抵抗Ｒ１１，Ｒ１２，・・・，Ｒ１ｍと、ｍ個の抵抗Ｒ２１，Ｒ２２，・・・，Ｒ２ｍと、ｍ個の抵抗Ｒ３１，Ｒ３２，・・・，Ｒ３ｍと、ｍ個のスイッチＴ１，Ｔ２，・・・，Ｔｍとを有する。実施の形態３における可変抵抗回路３１は、実施の形態２と同様に、第１端及び第２端を有する。
【０１０５】
抵抗Ｒｔの一端は、可変抵抗回路３１の第１端であり、ＩＰＤ３０及び入力部４１に接続されている。抵抗Ｒｔの他端は、可変抵抗回路３１の第２端であり、接地されている。抵抗Ｒ１ｓ（ｓ：ｍ以下の自然数）の一端は抵抗Ｒｔの一端に接続され、抵抗Ｒ１ｓの他端はスイッチＴｓのコレクタに接続されている。スイッチＴｓのエミッタは抵抗Ｒｔの他端に接続されている。従って、抵抗Ｒ１ｓ及びスイッチＴｓは、直列に接続され、直列回路を構成している。そして、このように構成されたｍ個の直列回路夫々は抵抗Ｒｔに並列に接続されている。実施の形態３でも、実施の形態２と同様に、抵抗Ｒ１１，Ｒ１２，・・・，Ｒ１ｍ夫々は第１抵抗器として機能する。
【０１０６】
なお、抵抗Ｒ１ｓ及びスイッチＴｓによって構成される直列回路は抵抗Ｒｔに実質的に並列に接続されていればよい。従って、抵抗Ｒｔの一端に、抵抗Ｒ１ｓと、スイッチＴｓと、素子、例えばコイルとによって構成される直列回路の一端が接続され、抵抗Ｒｔの他端にこの直列回路の他端が接続された回路も、抵抗Ｒ１ｓ及びスイッチＴｓによって構成される直列回路が抵抗Ｒｔに並列に接続された並列回路に相当する。更に、抵抗Ｒ１ｓと素子、例えばコイルとによって構成される直列回路の一端が、抵抗Ｒ１ｓ及びスイッチＴｓとによって構成される直列回路の一端が接続され、これら２つの直列回路の他端が互いに接続された回路も、抵抗Ｒ１ｓ及びスイッチＴｓによって構成される直列回路が抵抗Ｒｔに並列に接続された並列回路に相当する。
【０１０７】
スイッチＴｓ（ｓ：ｍ以下の自然数）のベースは抵抗Ｒ２ｓ，Ｒ３ｓ夫々の一端に接続されている。抵抗Ｒ３ｓの他端は接地されている。ｍ個の抵抗Ｒ２１，Ｒ２２，・・・，Ｒ２ｍ夫々の他端は、実施の形態３における切替え部４３に各別に接続されている。
【０１０８】
実施の形態３におけるスイッチＴｓのオン／オフは、実施の形態２と同様に、切替え部４３によって切替えられる。切替え部４３が抵抗Ｒ２ｓの他端にハイレベルの電圧を出力した場合、スイッチＴｓはオンに切替えられ、切替え部４３が抵抗Ｒ２ｓの他端にローレベルの電圧を出力した場合、スイッチＴｓはオフに切替えられる。実施の形態２と同様に、切替え部４３がハイレベルの電圧を抵抗Ｒ２ｓの他端に出力した場合におけるスイッチＴｓのオン抵抗の抵抗値は、抵抗Ｒ２ｓの抵抗値と比較して無視することができる程度に小さく、ゼロ又は略ゼロである。
【０１０９】
実施の形態３における切替え部４３は、実施の形態２と同様に、ｍ個のスイッチＴ１，Ｔ２，・・・，Ｔｍ夫々のオン／オフを各別に切替えることによって、可変抵抗回路３１の第１端及び第２端間の抵抗値を容易に変更することができる。可変抵抗回路３１の第１端及び第２端間の抵抗値は、スイッチＴ１，Ｔ２，・・・，Ｔｍの中でオンであるスイッチに直列に接続されている抵抗が抵抗Ｒｔに並列に接続された回路の抵抗値である。
【０１１０】
例えばｍが１である場合、スイッチＴ１がオフであるとき、可変抵抗回路３１の第１端及び第２端間の抵抗値は抵抗Ｒｔの抵抗値と同じ又は略同じであり、スイッチＴ１がオンであるとき、可変抵抗回路３１の第１端及び第２端間の抵抗値は、並列に接続された抵抗Ｒｔ，Ｒ１１の合成抵抗値である。並列に接続された抵抗Ｒｔ，Ｒ１１の合成抵抗値は、抵抗Ｒｔの抵抗値よりも小さい。
【０１１１】
実施の形態３における制御部４５は、実施の形態２と同様に電線保護処理を所定周期ごとに実行する。実施の形態３における電線保護処理において、ステップＳ３が実施の形態２における電線保護処理と異なる。ステップＳ３を除く他のステップは実施の形態２と同様である。実施の形態３における記憶部４４には、実施の形態２と同様に、給電経路Ｐ１，Ｐ２，・・・，Ｐｎ夫々に対応付けて、可変抵抗回路３１が有するスイッチＴ１，Ｔ２，・・・，Ｔｍ夫々のオン／オフを示すオンオフ情報が記憶されている（図８参照）。記憶部４４が記憶しているオンオフ情報が示す内容は、実施の形態２と同様に、給電経路Ｐｋ（ｋ：ｎ以下の自然数）が選択された場合に設定されるべきスイッチＴ１，Ｔ２，・・・，Ｔｍ夫々のオンオフ状態である。
【０１１２】
実施の形態３における制御部４５は、ステップＳ３において、ステップＳ１で選択した給電経路に対応するオンオフ情報を記憶部４４から読み出す。そして、制御部４５は、読み出したオンオフ情報が示すオン／オフに従って、切替え部４３にスイッチＴ１，Ｔ２，・・・，Ｔｍ夫々のオン／オフを切替えさせる。これにより、制御部４５は、切替え部４３に、可変抵抗回路３１の第１端及び第２端間の抵抗値を変更させる。
【０１１３】
可変抵抗回路３１は、前述したように、ｍ個のスイッチＴ１，Ｔ２，・・・，Ｔｍを有するため、切替え部４３が変更可能な可変抵抗回路３１の抵抗値の数は、最大で２のｍ乗個である。ステップＳ３では、実施の形態２と同様に、平均値が大きい電流が流れる給電経路がステップＳ１で選択された場合、可変抵抗回路３１の第１端及び第２端間の抵抗値は小さな抵抗値に変更される。また、平均値が小さい電流が流れる給電経路がステップＳ１で選択された場合、可変抵抗回路３１の第１端及び第２端の抵抗値は大きな抵抗値に変更される。
【０１１４】
実施の形態３における給電制御装置３において、可変抵抗回路３１の構成を除く他の構成は実施の形態２と同様である。このため、実施の形態３における給電制御装置３は、実施の形態２が奏する効果の中で、抵抗Ｒ１ｓ及びスイッチＴｓの直列回路が抵抗Ｒｔに並列に接続してある可変抵抗回路３１の構成によって得られる効果の除く他の効果を奏する。また、実施の形態３における給電制御装置３も、実施の形態２と同様に電流検出装置として機能する。
【０１１５】
（実施の形態４）
実施の形態１においては、ＩＰＤ３０がｎ個の給電経路Ｐ１，Ｐ２，・・・，Ｐｎ夫々を介した給電を制御している。しかしながら、ｎ個の給電経路Ｐ１，Ｐ２，・・・，Ｐｎ夫々を介した給電を制御するＩＰＤは１つに限定されない。
以下では、実施の形態４について、実施の形態１と異なる構成を説明する。後述する構成を除く実施の形態４の他の構成については、実施の形態１と同様であるため、同様の符号を付して、その詳細な説明を省略する。
【０１１６】
図１０は実施の形態４における電源システム４の要部構成を示すブロック図である。電源システム４は、好適に車両に搭載され、バッテリ２、給電制御装置５及びｎ個の（ｎ：２以上の整数）の負荷Ｅ１，Ｅ２，・・・，Ｅｎを備える。これらは、実施の形態１と同様に接続され、実施の形態１において給電制御装置３は給電制御装置５に対応する。
【０１１７】
給電制御装置５には、給電制御装置３と同様に、負荷Ｅｋ（ｋ：ｎ以下の自然数）についての作動信号及び停止信号が入力され、給電制御装置５は、入力された作動信号又は停止信号が指示する内容に基づいて、給電経路Ｐ１，Ｐ２，・・・，Ｐｎを介した給電を各別に制御する。
【０１１８】
給電制御装置５は、可変抵抗回路３１、温度検出部３２、マイコン３３、ｎ個のＩＰＤ５１，５２，・・・，５ｎ、及び、ｎ個のスイッチＡ１，Ａ２，・・・，Ａｎを有する。可変抵抗回路３１は実施の形態１と同様に第１端、第２端及び第３端を有する。可変抵抗回路３１、温度検出部３２及びマイコン３３は実施の形態１と同様に接続されている。
【０１１９】
ＩＰＤ５ｋ（ｋ：ｎ以下の自然数）は、バッテリ２の正極と、電線Ｗｋの一端と、マイコン３３と、スイッチＡｋの一端とに各別に接続されている。ｎ個のスイッチＡ１，Ａ２，・・・，Ａｎ夫々の他端は、可変抵抗回路３１の第１端と、マイコン３３とに接続されている。可変抵抗回路３１の第２端は接地されている。マイコン３３には、実施の形態１と同様に、作動信号及び停止信号が外部から入力される。
【０１２０】
ＩＰＤ５ｋには、マイコン３３から、負荷Ｅｋへの給電を指示する給電指示と、負荷Ｅｋへの給電の停止を指示する停止指示とが入力される。ＩＰＤ５ｋは、給電指示が入力された場合、バッテリ２の正極を電線Ｗｋの一端に電気的に接続する。これにより、負荷Ｅｋはバッテリ２から給電経路Ｐｋを介して給電される。ＩＰＤ５ｋは、停止指示が入力された場合、バッテリ２の正極と電線Ｗｋの一端との接続を電気的に遮断する。これにより、バッテリ２から負荷Ｅｋへの給電が停止される。
【０１２１】
給電制御装置５においても、可変抵抗回路３１の第１端に流れ込み、可変抵抗回路３１の第２端から流れ出る電流の電流経路が設けられている。ＩＰＤ５ｋは、スイッチＡｋがオンである場合、給電経路Ｐｋに流れる電流の所定数分の１の電流が電流経路に流れる。所定数は、１以上の実数であり、給電経路に無関係に一定である。ＩＰＤ５ｋは、スイッチＡｋがオフである場合、給電経路Ｐｋに流れている電流の所定数分の１の電流が電流経路に流れることはない。
【０１２２】
ＩＰＤ５ｋは、給電経路Ｐｋに流れる電流が所定電流以上となった場合、マイコン３３から入力される給電指示及び停止指示に無関係に、バッテリ２と電線Ｗｋの一端との接続を電気的に遮断し、給電経路Ｐｋを介した給電を停止する。このように、ＩＰＤ５ｋは自己遮断を行う。ＩＰＤ５ｋは、自己遮断を行った場合、給電経路Ｐｋを示す給電停止情報をマイコン３３に出力する。ＩＰＤ５ｋは、自己遮断を行った後、一旦、停止指示が入力されて、再び、給電指示が入力された場合、バッテリ２の正極と電線Ｗｋの一端とを電気的に接続し、給電経路Ｐｋを介した給電を再開する。
【０１２３】
ｎ個のスイッチＡ１，Ａ２，・・・，Ａｎ夫々のオン／オフはマイコン３３によって各別に切替えられる。スイッチＡｋがオンに切替えられており、かつ、ｎ個のスイッチＡ１，Ａ２，・・・，Ａｎの中でスイッチＡｋを除く他のスイッチがオフである場合、給電経路Ｐｋを流れる電流の所定数分の１の電流が可変抵抗回路３１の第１端に流れ込み、可変抵抗回路３１の第２端から流れ出る。このように、可変抵抗回路３１は、給電経路Ｐｋを流れる電流に応じた電流が流れる電流経路に設けられている。
【０１２４】
マイコン３３は、外部から入力される作動信号及び停止信号と、温度検出部３２から入力される温度情報と、入力部４１に入力される電圧とに基づいて、ｎ個のＩＰＤ５１，５２，・・・，５ｎ夫々に給電指示又は停止指示を出力する。また、マイコン３３は、ｎ個のスイッチＡ１，Ａ２，・・・，Ａｎを各別に切替える。更に、マイコン３３は、実施の形態１と同様に、可変抵抗回路３１の第１端及び第２端間の抵抗値を変更する。
【０１２５】
実施の形態４におけるマイコン３３は、実施の形態１と同様に、入出力部４０、入力部４１、Ａ／Ｄ変換部４２、切替え部４３、記憶部４４及び制御部４５を有し、これらは実施の形態１と同様に接続されている。実施の形態４におけるマイコン３３は更に切替え部６０を有し、切替え部６０もバス４６に接続されている。入出力部４０は、バス４６の他に、ｎ個のＩＰＤ５１，５２，・・・，５ｎと、温度検出部３２とに各別に接続されている。入力部４１は可変抵抗回路３１の第１端にも接続されており、切替え部４３は可変抵抗回路３１の第３端にも接続されている。
【０１２６】
入出力部４０には、負荷Ｅｋ（ｋ：ｎ以下の自然数）についての作動信号及び停止信号が入力される。入出力部４０は、作動信号が入力された場合、入力された作動信号が示す内容を制御部４５に通知し、停止信号が入力された場合、入力された停止信号が示す内容を制御部４５に通知する。
【０１２７】
また、制御部４５の指示に従って、ｎ個のＩＰＤ５１，５２，・・・，５ｎに給電指示及び停止指示を各別に出力する。入出力部４０には、ｎ個のＩＰＤ５１，５２，・・・，５ｎ夫々から給電停止情報が入力される。入出力部４０は、給電停止情報が入力された場合、入力された給電停止情報が示す内容を制御部４５に通知する。
更に、入出力部４０には温度検出部３２から温度情報が入力される。入出力部４０は、温度情報が入力された場合、入力された温度情報が示す周囲温度を制御部４５に通知する。
【０１２８】
切替え部６０は、制御部４５の指示に従って、ｎ個のスイッチＡ１，Ａ２，・・・，Ａｎ夫々のオン／オフを切替える。
【０１２９】
制御部４５は、実施の形態１と同様に、記憶部４４に記憶してある制御プログラムを読み出し、読み出した制御プログラムを実行することにより、種々の処理を実行する。
【０１３０】
制御部４５は、入出力部４０に負荷Ｅｋ（ｋ：ｎ以下の自然数）の作動を指示する作動信号が入力された場合、入出力部４０に指示して、給電指示をＩＰＤ５ｋへ出力させる。これにより、給電経路Ｐｋを介して、負荷Ｅｋはバッテリ２から給電される。制御部４５は、入出力部４０に負荷Ｅｋの作動の停止を指示する作動信号が入力された場合、入出力部４０に指示して、停止指示をＩＰＤ５ｋへ出力させる。これにより、給電経路Ｐｋを介した給電が停止する。
【０１３１】
また、記憶部４４には、実施の形態１と同様に、ｎ個の給電経路Ｐ１，Ｐ２，・・・，Ｐｎ夫々について、給電が行われているか、又は、給電が停止されているかを示す給電状態を記憶している（図３参照）。制御部４５は、入出力部４０に給電指示をＩＰＤ５ｋに出力させた場合、記憶部４４に記憶してある給電経路Ｐｋの給電状態を「給電」に書き換え、入出力部４０に停止指示をＩＰＤ５ｋに出力させた場合、記憶部４４に記憶してある給電経路Ｐｋの給電状態を「停止」に書き換える。更に、制御部４５は、入出力部４０がＩＰＤ５ｋから給電停止情報が入力された場合、入力された給電停止情報が示す給電経路Ｐｋの給電状態を「停止」に書き換える。
【０１３２】
制御部４５は、前述した処理を行いつつ、実施の形態１と同様に、電線保護処理を所定周期ごとに実行する。実施の形態４における電線保護処理において、ステップＳ４，Ｓ１０が実施の形態１と異なる。ステップＳ４，Ｓ１０を除く他のステップは実施の形態１と同様である。
【０１３３】
実施の形態４における制御部４５は、ステップＳ４では、切替え部６０にｎ個のスイッチＡ１，Ａ２，・・・，Ａｎ夫々のオン／オフを各別に切替えさせることによって、電流経路に流れる電流に対応する電流が流れる給電経路をステップＳ１で選択した給電経路に切替えさせる。制御部４５は、ステップＳ１で給電経路Ｐｋを選択した場合、切替え部６０に、スイッチＡｋをオンに切替えさせ、ｎ個のスイッチＡ１，Ａ２，・・・，Ａｎの中でスイッチＡｋを除く他のスイッチをオフに切替えさせる。これにより、ステップＳ１で制御部４５が選択した給電経路に流れる電流に応じた電流、具体的には、ステップＳ１で制御部４５が選択した給電経路を流れる電流の所定数分の１の電流が電流経路に流れる。
【０１３４】
制御部４５は、ステップＳ１０では、入出力部４０に指示して、ステップＳ１で選択した給電経路を介した給電を制御しているＩＰＤに停止指示を出力させることによって、ステップＳ１で選択した給電経路を介した給電を停止する。ステップＳ１で給電経路Ｐｋが選択されている場合、ステップＳ１０では、制御部４５は、入出力部４０に指示して、ＩＰＤ５ｋに停止指示を出力させる。
【０１３５】
実施の形態４における給電制御装置５では、制御部４５は、実施の形態１と同様に、ステップＳ１で選択された給電経路に応じて可変抵抗回路３１の第１端及び第２端間の抵抗値を変更する。制御部４５は、ステップＳ８で算出した温度が閾値以上である場合にステップＳ１で選択した給電経路を介した給電を停止すべきと判定する。また、制御部４５は、記憶部４４に記憶してあるオンオフ情報が示すオン／オフに従って、スイッチＴ１のオン／オフを切替えることによって可変抵抗回路３１の第１端及び第２端間の抵抗を変更する。
従って、実施の形態４における給電制御装置５は、実施の形態１における給電制御装置３と同様の効果を奏する。また、実施の形態４における給電制御装置５も、実施の形態１と同様に電流検出装置として機能する。
【０１３６】
なお、実施の形態４における可変抵抗回路３１は、実施の形態１における可変抵抗回路３１に限定されず、実施の形態２又は３における可変抵抗回路３１であってもよい。実施の形態４における可変抵抗回路３１が実施の形態２（又は実施の形態３）における可変抵抗回路３１である場合、可変抵抗回路３１のスイッチＴ１，Ｔ２，・・・，Ｔｍ夫々のベースは実施の形態２（又は実施の形態３）と同様に各別に切替え部４３に接続される。記憶部４４にはｎ個の給電経路Ｐ１，Ｐ２，・・・，Ｐｎ夫々に対応付けて、ｍ個のスイッチＴ１，Ｔ２，・・・，Ｔｍ夫々のオン／オフを示すオンオフ情報が記憶されている。
【０１３７】
ステップＳ３では、制御部４５は、ステップＳ１で選択した給電経路に対応するオンオフ情報を記憶部４４から読み出し、読み出したオンオフ情報が示すオン／オフに従って、切替え部４３にスイッチＴ１，Ｔ２，・・・，Ｔｍ夫々のオン／オフを切替えさせる。実施の形態４における可変抵抗回路３１が実施の形態２（又は実施の形態３）と同様に構成される場合には、実施の形態４における給電制御装置５は、実施の形態２（又は実施の形態３）と同様の効果を奏する。
【０１３８】
なお、実施の形態１，４夫々におけるスイッチＴ１、及び、実施の形態２，３夫々におけるスイッチＴ１，Ｔ２，・・・，Ｔｍ夫々は、スイッチとして機能すればよいため、ＮＰＮ型のバイポーラトランジスタに限定されず、ＰＮＰ型のバイポーラトランジスタ、ＦＥＴ又はリレー接点等であってもよい。
【０１３９】
また、実施の形態１から４において、可変抵抗回路３１は、第１端及び第２端間の抵抗値を変更することが可能であればよいため、例えば、トランジスタを有する構成であってもよい。例えば、可変抵抗回路３１は、第１端がドレインに接続され、第２端がソースに接続され、ゲートがマイコン３３に接続されているＦＥＴ（Field Effect Transistor）を備える構成であってもよい。この場合、マイコン３３は、ＦＥＴのゲートの電位を複数の段階に調整することによって、ＦＥＴのドレイン及びソース間、即ち、可変抵抗回路３１の第１端及び第２端間の抵抗値を変更する。
【０１４０】
また、可変抵抗回路３１は、実施の形態２，３の特徴を組み合わせ回路、即ち、抵抗及びスイッチの並列回路が抵抗Ｒｔに直列に接続され、かつ、抵抗及びスイッチの直列回路が抵抗Ｒｔに並列に接続されている回路であってもよい。この場合であっても、これらのスイッチ夫々のオン／オフを切替えることによって、可変抵抗回路３１の第１端及び第２端間の抵抗を変更することが可能である。
【０１４１】
また、実施の形態１から４において、制御部４５がステップＳ５で検出した電流が用いられる用途は、電線Ｗ１，Ｗ２，・・・，Ｗｎ夫々の温度演算に限定されない。例えば、実施の形態１から３におけるＩＰＤ３０又は実施の形態４におけるＩＰＤ５１，５２，・・・，５ｎ夫々が自己遮断を行わない構成である場合、ステップＳ５で検出した電流に基づいて、ステップＳ１で選択した給電経路を介した給電を停止すべきか否かを判定してもよい。この場合、制御部４５は、例えば、ステップＳ５で検出した電流が閾値電流以上である場合に給電を停止すべきと判定し、ステップＳ５で検出した電流が閾値電流未満である場合に給電を停止すべきではないと判定する。
【０１４２】
開示された実施の形態１から４は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１４３】
３，５  給電制御装置（電流検出装置）
３１  可変抵抗回路
４３  切替え部（変更部）
４４  記憶部
４５  制御部（選択部、電流検出部、判定部、温度算出部）
Ｐ１，Ｐ２，・・・，Ｐｎ  給電経路
Ｒ１１，Ｒ１２，・・・，Ｒ１ｍ  抵抗（第１抵抗器）
Ｒｔ  抵抗（第２抵抗器）
Ｔ１，Ｔ２，・・・，Ｔｍ  スイッチ
【図１】
2016080396.tif 000003
【図２】
2016080396.tif 000004
【図３】
2016080396.tif 000005
【図４】
2016080396.tif 000006
【図５】
2016080396.tif 000007
【図６】
2016080396.tif 000008
【図７】
2016080396.tif 000009
【図８】
2016080396.tif 000010
【図９】
2016080396.tif 000011
【図１０】
2016080396.tif 000012